【手続補正書】
【提出日】平成18年4月18日(2006.4.18)
【手続補正１】
【補正対象書類名】明細書
【補正対象項目名】発明の名称
【補正方法】変更
【補正の内容】
【発明の名称】文書情報検索装置および文書情報検索方法
【手続補正２】
【補正対象書類名】明細書
【補正対象項目名】特許請求の範囲
【補正方法】変更
【補正の内容】
【特許請求の範囲】
【請求項１】  検索要求文の入力を受け付ける検索要求入力部と、
前記検索要求入力部によって入力された前記検索要求文を単語に分割し、各単語の種類と前記検索要求文の構文構造とを解析し、その結果を出力する検索要求解析部と、
前記検索要求解析部によって出力された前記解析結果に基づき、前記単語の中から検索語を抽出する検索語抽出部と、
検索に不要となる不要語の一覧を記憶した不要語パターンを保持し、前記検索語抽出部によって抽出された前記検索語の中から、前記不要語パターンに記憶される不要語に一致する語句を検索し、削除する不要語削除部と、
前記検索語抽出部によって抽出された前記検索語のうち、前記不要語削除部により削除された不要語を除く前記検索語を組合わせて検索式を生成する検索式生成部と、
前記検索式生成部によって生成された前記検索式に基づき、検索対象となるすべての文書情報の全文を検索する全文検索部と、
前記全文検索部によって検索された検索結果を出力する検索結果表示部とを含む、文書情報検索装置。
【請求項２】  前記検索語抽出部によって抽出された前記検索語の中から、所定の規則にしたがって、検索要求の中心となる語句である中心語を抽出する中心語抽出部と、
前記中心語抽出部によって抽出された前記中心語に関連する内容を有する文書情報を検索する文書内容検索部とをさらに含み、
前記全文検索部は、前記検索式生成部によって生成された前記検索式に基づき、前記文書内容検索部によって検索されたすべての文書情報の全文を検索する、請求項１に記載の文書情報検索装置。
【請求項３】  前記文書内容検索部は、検索対象となるすべての文書情報のインデックスデータである文書内容インデックスを保持し、前記中心語抽出部によって抽出された前記中心語に関連する内容を有する文書情報を前記文書内容インデックスから検索する、請求項２に記載の文書情報検索装置。
【請求項４】  前記検索式生成部は、前記検索語抽出部によって抽出された前記検索語と同義である語を拡張検索語として前記検索語に追加する検索語拡張部をさらに含む、請求項１〜３のいずれかに記載の文書情報検索装置。
【請求項５】  前記検索語拡張部は、前記拡張検索語をＯＲ検索式として前記検索式に追加する、請求項４に記載の文書情報検索装置。
【請求項６】  文書情報を検索するための文書情報検索方法であって、
検索要求文の入力を受け付ける検索要求入力ステップと、
前記検索要求入力ステップで入力された前記検索要求文を単語に分割し、各単語の種類と前記検索要求文の構文構造とを解析し、その結果を出力する検索要求解析ステップと、
前記検索要求解析ステップで出力された前記解析結果に基づき、前記単語の中から検索語を抽出する検索語抽出ステップと、
検索に不要となる不要語の一覧を記憶した不要語パターンを参照し、前記検索語抽出ステップにおいて抽出された前記検索語の中から、前記不要語パターンに記憶される不要語に一致する語句を検索し、削除する不要語削除ステップと、
前記検索語抽出ステップにおいて抽出された前記検索語のうち、前記不要語削除ステップにおいて削除された不要語を除く前記検索語を組合わせて検索式を生成する検索式生成ステップと、
前記検索式生成ステップにおいて生成された前記検索式に基づき、検索対象となるすべての文書情報の全文を検索する全文検索ステップと、
前記全文検索ステップでの検索結果を出力する検索結果表示ステップとを含む、文書情報検索方法。
【手続補正３】
【補正対象書類名】明細書
【補正対象項目名】０００１
【補正方法】変更
【補正の内容】
【０００１】
【発明の属する技術分野】
本発明は、大量の文書情報の中から必要な情報を検索する文書情報検索装置および文書情報検索方法に関する。特に、単純なキーワードによる検索要求では結果が絞り込めないような大規模なデータベースで、かつ内容が頻繁に更新されるため検索対象となる情報に予めキーワードを付与しておくことが困難なデータベースを対象とする文書情報検索装置および文書情報検索方法に関する。
【手続補正４】
【補正対象書類名】明細書
【補正対象項目名】０００９
【補正方法】変更
【補正の内容】
【０００９】
本発明はこのような従来技術における課題に鑑みてなされたもので、検索要求文に含まれる語のうち検索要求に無関係な語を検索語として扱うことに起因する必要な情報の抽出漏れや、要求に対して不適合な情報を出力することを抑止する文書情報検索装置および文書情報検索方法を提供することである。
【手続補正５】
【補正対象書類名】明細書
【補正対象項目名】００１０
【補正方法】変更
【補正の内容】
【００１０】
本発明の他の目的は、検索要求から抽出した検索語を含む文書情報群におけるそれらの記述方法の多様性に起因する必要な情報の抽出漏れや要求に対して不適合な情報を出力することの抑止が可能な文書情報検索装置および文書情報検索方法を提供することである。
【手続補正６】
【補正対象書類名】明細書
【補正対象項目名】００１１
【補正方法】変更
【補正の内容】
【００１１】
本発明のさらに他の目的は、検索語とは異なる語の組合せで表現されていながら検索要求に合致する情報を抽出できる文書情報検索装置および文書情報検索方法を提供することである。
【手続補正７】
【補正対象書類名】明細書
【補正対象項目名】００１２
【補正方法】変更
【補正の内容】
【００１２】
【課題を解決するための手段】
上記目的を達成するために、本発明のある局面に従うと、文書情報検索装置は、検索要求文の入力を受け付ける検索要求入力部と、検索要求入力部によって入力された検索要求文を単語に分割し、各単語の種類と検索要求文の構文構造とを解析し、その結果を出力する検索要求解析部と、検索要求解析部によって出力された解析結果に基づき、上記単語の中から検索語を抽出する検索語抽出部と、検索に不要となる不要語の一覧を記憶した不要語パターンを保持し、検索語抽出部によって抽出された検索語の中から、不要語パターンに記憶される不要語に一致する語句を検索し、削除する不要語削除部と、検索語抽出部によって抽出された検索語のうち、不要語削除部により削除された不要語を除く検索語を組合わせて検索式を生成する検索式生成部と、検索式生成部によって生成された検索式に基づき、検索対象となるすべての文書情報の全文を検索する全文検索部と、全文検索部によって検索された検索結果を出力する検索結果表示部とを含む。
【手続補正８】
【補正対象書類名】明細書
【補正対象項目名】００１４
【補正方法】変更
【補正の内容】
【００１４】
好ましくは、文書情報検索装置は、検索語抽出部によって抽出された検索語の中から、所定の規則にしたがって、検索要求の中心となる語句である中心語を抽出する中心語抽出部と、中心語抽出部によって抽出された中心語に関連する内容を有する記述されている文書情報を検索する文書内容検索部とをさらに含み、全文検索部は、検索式生成部によって生成された検索式に基づき、文書内容検索部によって検索されたすべての文書情報の全文を検索する。
より好ましくは、文書内容検索部は、検索対象となるすべての文書情報のインデックスデータである文書内容インデックスを保持し、中心語抽出部によって抽出された中心語に関連する内容を有する文書情報を文書内容インデックスから検索する。
【手続補正９】
【補正対象書類名】明細書
【補正対象項目名】００１６
【補正方法】変更
【補正の内容】
【００１６】
また好ましくは、検索式生成部は、検索語抽出部によって抽出された検索語と同義である語を拡張検索語として検索語に追加する検索語拡張部をさらに含む。
より好ましくは、検索語拡張部は、拡張検索語をＯＲ検索式として検索式に追加する。
【手続補正１０】
【補正対象書類名】明細書
【補正対象項目名】００１８
【補正方法】変更
【補正の内容】
【００１８】
本発明の他の局面に従うと、文書情報検索方法は文書情報を検索するための方法であって、検索要求文の入力を受け付ける検索要求入力ステップと、検索要求入力ステップで入力された検索要求文を単語に分割し、各単語の種類と検索要求文の構文構造とを解析し、その結果を出力する検索要求解析ステップと、検索要求解析ステップで出力された解析結果に基づき、上記単語の中から検索語を抽出する検索語抽出ステップと、検索に不要となる不要語の一覧を記憶した不要語パターンを参照し、検索語抽出ステップにおいて抽出された検索語の中から、不要語パターンに記憶される不要語に一致する語句を検索し、削除する不要語削除ステップと、検索語抽出ステップにおいて抽出された検索語のうち、不要語削除ステップにおいて削除された不要語を除く検索語を組合わせて検索式を生成する検索式生成ステップと、検索式生成ステップにおいて生成された検索式に基づき、検索対象となるすべての文書情報の全文を検索する全文検索部と、全文検索ステップでの検索結果を出力する検索結果表示ステップとを含む。
【手続補正１１】
【補正対象書類名】明細書
【補正対象項目名】００２０
【補正方法】変更
【補正の内容】
【００２０】
なお、このような文書情報検索方法は、文書情報検索装置に、検索語抽出ステップにおいて抽出された検索語の中から、所定の規則にしたがって、検索要求の中心となる語句である中心語を抽出する中心語抽出ステップと、中心語抽出ステップにおいて抽出された中心語に関連する内容を有する文書情報を検索する文書内容検索ステップとをさらに含み、全文検索ステップにおいて、検索式生成ステップで生成された検索式に基づき、文書内容検索ステップで検索されたすべての文書情報の全文を検索することも可能である。
さらに、文書内容検索ステップにおいて、検索対象となるすべての文書情報のインデックスデータである文書内容インデックスを参照し、中心語抽出ステップで抽出された中心語に関連する内容を有する文書情報を文書内容インデックスから検索することも可能である。
【手続補正１２】
【補正対象書類名】明細書
【補正対象項目名】００２２
【補正方法】変更
【補正の内容】
【００２２】
また、検索式生成ステップに、検索語抽出ステップで抽出された検索語と同義である語を拡張検索語として検索語に追加する検索語拡張ステップがさらに含まれてもよい。
さらに、検索語拡張ステップでは、拡張検索語をＯＲ検索式として検索式に追加することも可能である。